(57)【要約】【課題】コンピューターグラフィックス技術を多用することなく比較的簡便かつ安価に現実の店舗の画像を構築して、ホームページの閲覧者に臨場感をもって商品の購入を進めることができ、動画配信に伴う処理、送信のデータ量増大の問題も解消することができる商品販売システムを提供する。【解決手段】サーバーコンピューター１１と、実在の店舗２０Ａ等の内部を所定角度ずつ旋回して複数の静止画を撮影する静止画撮影手段３０と、複数の静止画をつなぎ合わせて店舗内の一連の店舗内画像を生成する店舗内画像生成手段と、店舗内画像生成手段が生成した店舗内画像を記憶する画像記憶手段と、インターネット回線２を介して店舗内画像を配信する画像配信手段と、店舗内画像に含まれる個々の商品の商品情報を連動して配信する商品情報配信手段と、商品情報を受信した閲覧者が選択した商品情報の商品の注文情報を受ける受注手段とを備える。【選択図】図１
2010211592.tif 000002
【特許請求の範囲】
【請求項１】
インターネット上に実在の店舗内部の画像を表示して該店舗内部に陳列されている商品を販売する商品販売システムであって、
前記実在の店舗内部を所定角度ずつ旋回して複数の静止画を撮影する静止画撮影手段と、
前記複数の静止画をつなぎ合わせて前記店舗内の一連の店舗内画像を生成する店舗内画像生成手段と、
前記店舗内画像生成手段が生成した前記店舗内画像を記憶する画像記憶手段と、
インターネット回線を介して前記店舗内画像を配信する画像配信手段と、
前記店舗内画像に該店舗内画像に含まれる個々の商品の商品情報を連動して配信する商品情報配信手段と、
前記商品情報を受信した閲覧者が選択した商品情報の商品の注文情報を受ける受注手段と
を備えたことを特徴とするオンライン商品販売システム。
【請求項２】
前記店舗内画像生成手段が生成する前記店舗内画像は該店舗内の全周である請求項１に記載のオンライン商品販売システム。
【請求項３】
前記店舗内画像を閲覧している閲覧者からの操作により前記店舗内画像の表示領域を変更する表示領域変更手段を備える請求項１又は２に記載のオンライン商品販売システム。
【請求項４】
前記商品情報が、少なくとも商品の拡大形状、価格、または販売数量を含む情報である請求項１ないし３のいずれか１項に記載のオンライン商品販売システム。
【請求項５】
閲覧者が選択した商品に関連した商品の関連情報へのアクセスを可能とする商品アクセス手段を備える請求項１ないし４のいずれか１項に記載のオンライン商品販売システム。
【請求項６】
前記関連情報が、閲覧者が選択した商品と同種または異種の商品を推薦する情報である請求項１ないし５のいずれか１項に記載のオンライン商品販売システム。
【発明の詳細な説明】
【技術分野】
【０００１】
本発明は、インターネット等の電気通信回線を通じて商品を販売するシステムに関し、特に、現実の店舗の画像を撮影して送信する商品販売システムに関する。
【背景技術】
【０００２】
近年のＡＤＳＬや光ファイバー回線の拡充に伴い、インターネット等の電気通信回線は家庭や個人においても気軽に楽しむことができるほど一般化している。そこで、インターネットを介した新たなビジネスも広く展開されている。通常、インターネットを介した商品の購入においては、閲覧しているウェブサイトのホームページ上に商品の静止画像が掲載される。その画像に対し商品の販売者、提供者等が商品に対する説明、価格等も表示することで必要な情報が付加されている。
【０００３】
顧客、すなわちホームページの閲覧者は、気に入った商品を購入するため、当該ホームページ上で注文・支払を行うことも可能に設定されていることが多い。従って、家庭や個人にあっては、自宅にいながらにして気軽に買物を行うことができる。しかしながら、顧客への訴求効果を高めるべく商品の詳細な情報を連動させようとする場合、商品数が増加するほど、ホームページ作成は煩雑化してしまう。そのため、ホームページ上に掲載された商品は単に商品の外観等の画像や商品自体の情報が主であり、商品自体の面白さや雰囲気を演出するには至っていないことが多い。
【０００４】
また、新たなインターネットを介した商品販売の形態として、ホームページ上に仮想店舗を構築し、その中にあたかも実際の店舗で買い物ができるようにしたウェブサイトがある。あるいは、完全に仮想世界を構築して、自己の分身を登場させてその仮想世界内の商店で買い物できるようにしたウェブサイトもある。これらは、商品の展示、演出等おいて新しい面白味を付加することができる。しかし、コンピューターグラフィックス（ＣＧ）等の映像作成技術を用いて店舗内映像の作成を行う場合、その作成、維持管理、更新等に多くの費用や時間を要し、実際に展開できる事業者は限られてしまう。
【０００５】
そこで、ＣＧ技術をなるべく多用することなく顧客への訴求効果を狙った販売システムが提案されている。具体的には、商品をウェブカメラによりライブ撮影した動画をインターネット上に公開して、実際の買物の場合と同様の商品の情報をインターネットによって入手することができるようにしている（特許文献１、特許文献２等参照）。さらに、店舗内をＣＣＤカメラにより撮影し、インターネットを介してこの動画を撮影と同時に顧客に配信することにより、商品情報の信頼性と情報量を向上させる商品販売システムも提案されている（特許文献３等参照）。
【０００６】
引用文献をはじめとする販売システムは主に撮影している動画の送信である。そのため、処理、送信のデータ量は増加しがちである。回線の混雑状況によっては円滑な再生画像を楽しむことが難しい場合もある。結果、顧客の不満、購買意欲の減退を招くおそれがある。あるいは、実際に店舗で同時に撮影するため、店舗内で買物をしている顧客がカメラに写ってしまう等の個人情報保護の問題もあった。また、それぞれの商品をリアルタイムで撮影するための手間から、ホームページを作成する販売者側に負担を強いてしまう。さらに、ストリーミング再生の手法を用いる場合、データ量を下げるために画質を低下させることになり、商品の様子が逆にわかりにくくなる。
【０００７】
一連の経緯から、インターネットを介した商品販売を実践するに際し、販売者側が安価かつ簡便にホームページを作成して配信可能であり、しかも、商品の情報が細部まで表現可能であり、同時に商品を購入しようとするホームページの閲覧者側に不便を感じさせなくするシステムが求められていた。
【先行技術文献】
【特許文献】
【０００８】
【特許文献１】３９７８４３２号公報
【特許文献２】３９２４７０２号公報
【特許文献３】特開２００３−１２２９７３号
【発明の概要】
【発明が解決しようとする課題】
【０００９】
本発明は上記の点に鑑みなされたものであり、コンピューターグラフィックス技術を多用することなく比較的簡便かつ安価に現実の店舗の画像を構築して、ホームページの閲覧者に臨場感をもって商品の購入を進めることができ、動画配信に伴う処理、送信のデータ量増大の問題も解消することができる商品販売システムを提供する。
【課題を解決するための手段】
【００１０】
すなわち、請求項１の発明は、インターネット上に実在の店舗内部の画像を表示して該店舗内部に陳列されている商品を販売する商品販売システムであって、前記実在の店舗内部を所定角度ずつ旋回して複数の静止画を撮影する静止画撮影手段と、前記複数の静止画をつなぎ合わせて前記店舗内の一連の店舗内画像を生成する店舗内画像生成手段と、前記店舗内画像生成手段が生成した前記店舗内画像を記憶する画像記憶手段と、インターネット回線を介して前記店舗内画像を配信する画像配信手段と、前記店舗内画像に該店舗内画像に含まれる個々の商品の商品情報を連動して配信する商品情報配信手段と、前記商品情報を受信した閲覧者が選択した商品情報の商品の注文情報を受ける受注手段とを備えたことを特徴とする商品販売システムに係る。
【００１１】
請求項２の発明は、前記店舗内画像生成手段が生成する前記店舗内画像は該店舗内の全周である請求項１に記載の商品販売システムに係る。
【００１２】
請求項３の発明は、前記店舗内画像を閲覧している閲覧者からの操作により前記店舗内画像の表示領域を変更する表示領域変更手段を備える請求項１又は２に記載の商品販売システムに係る。
【００１３】
請求項４の発明は、前記商品情報が、少なくとも商品の拡大形状、価格、または販売数量を含む情報である請求項１ないし３のいずれか１項に記載の商品販売システムに係る。
【００１４】
請求項５の発明は、閲覧者が選択した商品に関連した商品の関連情報へのアクセスを可能とする商品アクセス手段を備える請求項１ないし４のいずれか１項に記載の商品販売システムに係る。
【００１５】
請求項６の発明は、前記関連情報が、閲覧者が選択した商品と同種または異種の商品を推薦する情報である請求項１ないし５のいずれか１項に記載の商品販売システムに係る。
【発明の効果】
【００１６】
請求項１の発明に係る商品販売システムによると、インターネット上に実在の店舗内部の画像を表示して該店舗内部に陳列されている商品を販売する商品販売システムであって、前記実在の店舗内部を所定角度ずつ旋回して複数の静止画を撮影する静止画撮影手段と、前記複数の静止画をつなぎ合わせて前記店舗内の一連の店舗内画像を生成する店舗内画像生成手段と、前記店舗内画像生成手段が生成した前記店舗内画像を記憶する画像記憶手段と、インターネット回線を介して前記店舗内画像を配信する画像配信手段と、前記店舗内画像に該店舗内画像に含まれる個々の商品の商品情報を連動して配信する商品情報配信手段と、前記商品情報を受信した閲覧者が選択した商品情報の商品の注文情報を受ける受注手段とを備えたため、コンピューターグラフィックス技術を多用することなく比較的簡便かつ安価に現実の店舗の画像を構築して、ホームページの閲覧者に臨場感をもって商品の購入を進めることができ、従前の動画配信に伴う処理、送信のデータ量増大の問題も解消することができる。
【００１７】
請求項２の発明に係る商品販売システムによると、請求項１の発明において、前記店舗内画像生成手段が生成する前記店舗内画像は該店舗内の全周であるため、パーソナルコンピューターや携帯電話機のディスプレイやモニター等の閲覧者端末の表示画面に顧客（閲覧者）が実在の店舗内に入って買い物を楽しむときの画像が再現され、店舗内に入った時の臨場感が演出される。
【００１８】
請求項３の発明に係る商品販売システムによると、請求項１又は２の発明において、前記店舗内画像を閲覧している閲覧者からの操作により前記店舗内画像の表示領域を変更する表示領域変更手段を備えるため、閲覧者による店舗内画像の表示領域の変更や切り換え操作は極めて容易となる。
【００１９】
請求項４の発明に係る商品販売システムによると、請求項１ないし３のいずれか１項の発明において、前記商品情報が、少なくとも商品の拡大形状、価格、または販売数量を含む情報であるため、閲覧者は購入を希望する商品の具体的情報を把握することができ、購入の可否を入念に判断することができる。
【００２０】
請求項５の発明に係る商品販売システムによると、請求項１ないし４のいずれか１項の発明において、閲覧者が選択した商品に関連した商品の関連情報へのアクセスを可能とする商品アクセス手段を備えるため、閲覧者にとって、次々と興味ある商品に遭遇する機会が増し、想像していないような新しい商品を発見する楽しみが生まれる。
【００２１】
請求項６の発明に係る商品販売システムによると、請求項１ないし５のいずれか１項の発明において、前記関連情報が、閲覧者が選択した商品と同種または異種の商品を推薦する情報であるため、店舗内画像から選択された商品自体の情報や商品に付随する関連情報を通じ、販売者側の商品に対する店舗経営者等の個々の商品に込めた思い入れを主張できるようになり、インターネットビジネスにおける販売者の差別化を図ることができる。
【図面の簡単な説明】
【００２２】
【図１】本発明の商品販売システムの全体構成を示すブロック図である。
【図２】静止画撮影手段による撮影時の概要図である。
【図３】店舗内画像生成の概要図である。
【図４】店舗内画像の第１画像図である。
【図５】店舗内画像の第２画像図である。
【図６】表示領域変更を行う操作部の表示例である。
【図７】図３の店舗内画像において商品を選択するときの画像表示例である。
【図８】商品情報及び関連情報の画像表示例である。
【発明を実施するための形態】
【００２３】
本発明の商品販売システムとは、請求項１の発明に規定するように、インターネット上に、実在の店舗内部の画像を表示することによって、当該店舗内部に陳列されている商品を販売できるようにしたシステムである。以下、図１の全体構成を示すブロック図を用い順に商品販売システム１を説明する。
【００２４】
商品販売システム１はインターネット回線２を介して当該システムに加盟する個々の店舗、Ａ店舗２０Ａ、Ｂ店舗２０Ｂ、Ｃ店舗２０Ｃ等が接続される。各店舗の画像処理、受発注等を管理する処理サーバー部１０もインターネット回線２に接続される。処理サーバー部にはサーバーコンピューター１１が備えられる。店舗２０Ａ等には店舗内の静止画を撮影する静止画撮影手段として公知のカメラ３０が備えられる。
【００２５】
そして、商品販売システム１のインターネット回線２には、各店舗もしくは当該商品販売システム提供者が開設したホームページを閲覧する閲覧者側の端末機器としてパーソナルコンピューター３、携帯電話機４等がアクセス可能となっている。符号５は携帯電話機の基地局である。閲覧者側の端末機器には、図示の他にＰＨＳ（Ｐｅｒｓｏｎａｌ  Ｈａｎｄｙ−ｐｈｏｎｅ  Ｓｙｓｔｅｍ）、通信機能を備えたＰＤＡ（Ｐｅｒｓｏｎａｌ  Ｄｉｇｉｔａｌ  Ａｓｓｉｓｔａｎｔ、あるいは、Ｐｅｒｓｏｎａｌ  Ｄａｔａ  Ａｓｓｉｓｔａｎｃｅ等）、その他ケーブルテレビジョン放送等のインターネット回線に接続可能な双方向通信網に接続されたテレビ受像器等も含められる。
【００２６】
処理サーバー部１０やサーバーコンピューター１１は、図示の実施例のように各店舗と独立して備えられる。ホームページの作成や更新を委託する形態の場合には、図示のとおり個々の契約店舗と独立して備えてもよい。あるいは個々の店舗内に処理サーバー部やサーバーコンピューター等を併設した構成でも良い。本発明の商品販売システムへの契約店の数、編集や加工を要する処理データ量により適宜である。実施例のサーバーコンピューター１１は本発明における店舗内画像生成手段、画像記憶手段、画像配信手段、商品情報配信手段、受注手段、さらには、表示領域変更手段、商品アクセス手段等に該当する。
【００２７】
図２は静止画撮影手段による撮影を模式的に表した概要図であり、図３は図２にて撮影した画像のつなぎ合わせを模式的に表した概要図である。両図を用い、静止画撮影手段による撮影の様子を説明する。静止画撮影手段は公知のカメラ３０（ｓｔｉｌｌ  ｃａｍｅｒａ）であり、既存のフィルム式のカメラ、デジタルカメラ等が用いられる。このカメラ３０は、図示しない三脚に雲台を装着して接続され、実在の店舗内の撮影場所となる部屋２１の中の所定位置に置かれる。撮影対象となる部屋の大きさに応じ、最適な広角レンズ、魚眼レンズ等のレンズ３１が選択され、カメラ３０に装着される。
【００２８】
始めに、カメラ３０を撮影対象となる部屋２１（売り場）の所定位置に固定し、紙面上方の正面壁部２２側が撮影される。符号２５はその撮影範囲である。次に雲台を所定角度ずつ操作することによりカメラ３０は旋回され、同カメラ３０の撮影方向は前記の所定角度分だけ変更される。図示ではカメラ３０は時計回り（右回り）に９０°回転され、部屋２１の右面壁部２３側に向けられる。同様に撮影範囲２６が撮影される。この手順をいずれの撮影方向にも繰り返すことによって、撮影対象となる部屋（売り場）の一部分あるいは内周全体の撮影が行われる。撮影に当たり、撮影対象となる部屋の天井から床まで含まれるように視野が形成され、また、常に撮影範囲同士に重なり部分２７が生じるようにカメラによる撮影角度、旋回角度は最適に設定される。つまり、前記の実在の店舗２０Ａ，２０Ｂ，２０Ｃ等の内部は、所定角度ずつ旋回するカメラ３０（静止画撮影手段）により複数の静止画として撮影される。
【００２９】
図３（ａ）に示すように、部屋２１の正面壁部２２側を撮影した静止画３２、右面壁部２３側を撮影した静止画３３、背面壁部２４側を撮影した静止画３４は、各静止画の重複画像部３７に基づいて順に並べられる。そして、前記のサーバーコンピューター１１等の店舗内画像生成手段において、パノラマ画像作成の公知の画像加工ソフトウエア等が用いられ、各静止画は重複画像部３７を基準にしてつなぎ合わされる。図３（ｂ）のとおり、編集を経て、一連の店舗内画像４０は生成される。撮影対象となる実在の店舗内部の形状が複雑である場合、カメラの設置位置を適宜変更しながら撮影される。
【００３０】
なお、カメラ３０による店舗内画像の撮影は、店舗の営業前（開店前）、終業後（閉店後）等の来店者のいない時間に行うことが望ましい。来店者を写し込んでしまうことによる個人情報保護を考慮したためである。むろん、店舗の従業員やエキストラ等を店舗の所定位置に配し、店舗内の雰囲気作りの演出に用いることも可能である。また、季節や年中行事に応じてあるいは先取りして店舗の内装等を変更する場合にもその都度店舗内画像の撮影を行うことにより、より訴求効果のある店舗内画像を簡便に提供することができる。
【００３１】
店舗内画像４０は、請求項２の発明に規定するように、当該店舗内の全周の画像となる。店舗内の全周の画像を採用することにより、顧客（閲覧者）が実在の店舗内に入って買い物を楽しむときの臨場感が閲覧者端末の表示画面（ＰＣや携帯電話機等のディスプレイやモニター等）に演出される。なお、店舗内（売り場）の構造上、全周の店舗内画像が必要無い場合には半周、２／３周等の部分の画像とすることもできる。生成された店舗内画像は、サーバーコンピューター１１等の画像記憶手段に記憶、蓄積され、各種の商品情報と共に調製される。そして、ひとつながりとなった店舗内画像（いわゆるパノラマ写真）はサーバーコンピューター１１等の画像配信手段によりインターネット回線２を介して配信される。
【００３２】
図４及び図５は店舗内画像２０ｐ，２０ｑの具体例であり、この例は雑貨店であるＡ店舗２０Ａのウェブサイト内のホームページを閲覧者が閲覧しているときに閲覧者端末の表示画面上に表示された店舗内画像（写真）の一例である。Ａ店舗２０Ａでは、生活感ある住環境に個々の商品が陳列されているため、それぞれの商品の使用状況が容易に把握できるように演出されている。
【００３３】
図４はＡ店舗２０Ａ内の或る部屋に入ったときの正面が写し出されている様子である（店舗内画像２０ｐ）。陳列商品を説明すると、正面上方から下方にかけて電灯２０１、窓枠２０２、カーテン２０３、カーペット２０４、左手側に暖炉２０５、煙突２０６、右手側に本棚２０７、本２０８，２０９，２１０、抽象絵画２１１、額縁２１２、丸テーブル２１３、ケーキ皿２１４、ケーキの見本２１５、そして、コーヒーカップ２４０である。図中、符号１００は表示領域選択操作部、１２０は表示領域移動操作部である。
【００３４】
図５はＡ店舗２０Ａ内の或る部屋に入ってから入口方向に振り返ったときの背面が写し出されている様子である（店舗内画像２０ｑ）。同様に陳列商品を説明すると、左手側から順に、窓枠２１６、レースのカーテン２１７、ソファー２１８、木製扉２１９、スタンド２２０、バッグ２２１、帽子２２２、角テーブル２２３、灰皿２２４、テーブルクロス２２５、ベッド２２６、枕２２７、毛布２２８、カレンダー２２９、オブジェ２３０、ドアノブ２３１である。そして、同図（店舗内画像）の上方にも表示領域選択操作部１００、表示領域移動操作部１２０は表示される。
【００３５】
図６は図４及び図５に示されている表示領域選択操作部１００及び表示領域移動操作部１２０の拡大図である。両操作部１００，１２０には店舗内画像の閲覧者からの操作を容易にしたグラフィカル・ユーザー・インターフェース（ＧＵＩ）による操作方式が採用される。図６（ａ）の表示領域選択操作部１００において、主領域部１０１に視野表示部１０２が示される。主領域部１０１には現在閲覧者端末の表示画面上に表示されている店舗及びその部屋（売り場）が表示される。この例では、Ａ店舗２０Ａのホームページを閲覧者が閲覧しているときのＡ店舗におけるひとつの部屋（図４，図５）である。主領域部１０１では「［Ａ店舗：雑貨］」と表示される。
【００３６】
視野表示部１０２は、主領域部１０１に表示されている店舗内の部屋について、現在閲覧者端末の表示画面上に表示されている視野方向の表示である。扇形の視野表示部１０２において視点軸１０３から円弧部分への向きが視野方向となる。閲覧者は、例えばパーソナルコンピューターに接続されたマウス、タッチパネル、携帯電話機の操作部等を操作することにより、図示のポインタ１０５（マウスポインタ、カーソル等とも称される。）を動かして適宜の位置に視野表示部１０２を合わせることができる。実施例の視野表示部１０２は視点軸１０３を中心に左右に旋回可能である（図示の二点鎖線参照）。図６（ａ）は視点軸１０３から店舗の部屋（売り場）の正面を見ている図４の視野方向に対応する。なお、図５は、ポインタ１０５により視野表示部１０２を動かして図４の正面向き（上方）の視野とは逆の背面向き（下方）の視野を表示している。
【００３７】
表示領域選択操作部１００において、主領域部１０１以外の部位には他の店舗や売り場への移行を可能とする選択領域部が備えられる。実施例の場合、Ａ店舗２０Ａの他の部屋として、ヴィンテージ商品等の古着売り場１１１（Ａ店舗［古着］）、同店舗の家電売り場１１２（Ａ店舗［家電］）、Ｂ店舗の洋食器売り場１１３（Ｂ店舗［洋食器］）、Ｃ店舗の喫茶店１１４（Ｃ店舗［喫茶店］）、その他の加盟店舗１１５の各種の選択領域部が表示される。ポインタ１０５を所望の選択領域部１１１〜１１５に重ねることにより、選択された部屋（売り場）や店舗に閲覧者端末の表示画面上に表示されている画像を切り換えることができる。
【００３８】
図６（ｂ）の表示領域移動操作部１２０は、現在閲覧者端末の表示画面上に表示されている画像をさらに詳細に閲覧しようとするときに用いられる。図４，図５の店舗内画像において天井等に展示された電灯や本棚上部の本等の商品を確認したいときは、上方操作部１２１（［ＵＰ］）にポインタ１０５が重ねられる。すると、視野は現時点よりも仰角に更新される。また、床に展示されたカーペットや角テーブル等の商品を確認したいときは、下方操作部１２２（［ＤＮ］）にポインタ１０５が重ねられる。すると、視野は現時点よりも俯角に更新される。
【００３９】
現在表示されている店舗内画像よりも左側を確認したい場合には左方操作部１２３（［Ｌ］）、右側を確認したい場合には右方操作部１２４（［Ｒ］）にポインタ１０５が重ねられる。それぞれポインタを重ねた場所の操作部の操作方向に従って、現在表示されている店舗内画像は緩やかに左または右に旋回する。また、陳列商品を拡大したい場合には拡大操作部１２５（［ＺＭ］）、視点を後退させたい場合には縮小操作部１２６（［ＺＯ］）にポインタ１０５が重ねられる。気に入った大きさに自由に変更することができる。さらに、緩やかに一連の店舗内画像を眺めたい場合には再生操作部１２７（［ＰＹ］）にポインタ１０５が重ねられる。この場合、ポインタを再生操作部から離すまで現在表示されている店舗内画像は緩やかに右に旋回する。左方操作部、右方操作部、再生操作部の移動量に連動して前記の表示領域選択操作部１００における視野表示部１０２も左右に旋回する。
【００４０】
実施例におけるグラフィカル・ユーザー・インターフェース（ＧＵＩ）に基づいた表示領域選択操作部１００及び表示領域移動操作部１２０に対する店舗内画像を閲覧している閲覧者による操作は、図１のインターネット回線２を通じて処理サーバー部１０のサーバーコンピューター１１に送信される。サーバーコンピューター１１では、所定の移動量に対応する演算が行われ新たな店舗内画像に関する結果データが生成され、更新データ（更新後の店舗内画像）として閲覧者端末に返信される。また、店舗内画像の切り換えの選択、指示の結果も共に閲覧者端末に更新データとして返信される。
【００４１】
このことから、請求項３の発明に規定するように、例えば図４，５の店舗内画像２０ｐ，２０ｑを閲覧している閲覧者からの操作により、当該店舗内画像の表示領域は表示領域変更手段であるサーバーコンピューター１１により変更される。なお、表示領域選択操作部１００及び表示領域移動操作部１２０も表示領域変更手段を構成する。店舗内画像内にＧＵＩを用いた表示領域選択操作部及び表示領域移動操作部も併せて表示することにより、閲覧者による店舗内画像の表示領域の変更や切り換え操作は極めて容易となる。静止画の再生であるため、鮮明な画質を比較的少ないデータ量で送信できる。既存のストリーミング再生等の動画送信と比較しても画質の低下のおそれもなく、画像データの送信負荷も少なくなる。特に、携帯電話機からの閲覧等に都合よい。
【００４２】
図７は、前出図４のＡ店舗２０Ａ（その店舗内画像２０ｐ）を閲覧しているときに閲覧者が興味ある商品を選択するときの様子である。図７（ａ）は、食器類等のテーブルウエアに興味をもった閲覧者が前記の左方，右方操作部１２３，１２４、拡大操作部１２５を使って丸テーブル２１３付近を拡大した画像である。図４等の広域の店舗内画像２０ｐとは別に、一部の限られた領域、例えば丸テーブル２１３上の商品に関し、レイアウト、商品イメージ、雰囲気等を確かめることができる。商品のコーヒーカップ２４０にポインタ１０５を重ねてクリック等をすると、図７（ｂ）のように、当該商品（コーヒーカップ２４０）のポップアップ画像ＰＵ２４０が表示される。ここで、閲覧者は関心あるコーヒーカップ２４０の概要を把握することができる。このポップアップ画像の表示時に商品の購買意欲をそそるような効果音や他の関連する画像等も含めることもできる。
【００４３】
ポップアップ画像ＰＵ２４０の商品（図示ではコーヒーカップ２４０）にポインタ１０５を合わせてクリック等をすると、続く図８（ａ）の商品情報画面３００に切り替わる。閲覧者は表示された店舗内画像中の商品を選択することによって、その店舗内画像に含まれる個々の商品の商品情報は、店舗内画像と連動して閲覧者端末に配信される。閲覧者側からの陳列商品の選択を受け付け、ポップアップ画像の表示、該当する商品情報の表示と配信等は、サーバーコンピューター１１等の商品情報配信手段により実行される。
【００４４】
図８（ａ）から理解されるように、商品情報画面３００に含まれる商品情報は、請求項４の発明に規定するように、商品の拡大形状として図示ではコーヒーカップ２４０の写真を表示した拡大表示部３０１が設けられ、これに加え、価格表示部３０４（［１個：１０，０００円］）、販売数量表示部３０５（［＿個ご購入］）も設けられる。さらに、購入店舗表示部３０２（［Ａ店舗］）、購入物品名表示部３０３（［コーヒーカップ］）も設けられる。こうして、閲覧者は、購入希望の商品の具体的情報を把握することができ、購入の可否を判断できる。そこで、閲覧者は、商品に気に入れば購入指示部３０６（［購入する］）をクリック等することにより、この商品情報の商品を購入できる。購入指示部３０６の操作は、注文情報として、インターネット回線２を通じて処理サーバー部１０のサーバーコンピューター１１に送信される。商品情報を受信した閲覧者が選択した商品情報の商品の注文情報は、購入指示部３０６を介してサーバーコンピューター１１等の受注手段により処理される。
【００４５】
注文情報を受けた処理サーバー部１０（サーバーコンピューター１１）は、注文情報の商品を販売しているＡ店舗２０Ａに対し商品の発送の指示を出す。また、処理サーバー部１０（サーバーコンピューター１１）は、銀行振り込み、クレジットカード決済、代金引換決済、インターネットバンキングによる決済、電子マネーによる支払い等の購入代金、送料等の決済方法も提示し、代金回収、加盟する販売店舗への支払い、与信管理等も行う。商品の受発注、決済については、公知のインターネット取引の手法が好適に用いられる。むろん、実施例は一例であるため、個々の販売店が個別に受注、配送、決済等の処理を行うことも可能である。
【００４６】
図８（ａ）の拡大表示部３０１に表示されている閲覧者が選択した商品に関連した商品の閲覧（関連情報へのアクセス）を希望する場合、外部アクセス表示部３０７をクリック等することにより他の関連情報が表示される。この例では、外部アクセス表示部は「［おすすめ］」と表示されている。外部アクセス表示部３０７の操作は、関連情報として、インターネット回線２を通じて処理サーバー部１０のサーバーコンピューター１１に送信される。請求項５の発明に規定するように、関連情報へのアクセスは、外部アクセス表示部３０７を介したサーバーコンピューター１１等の商品アクセス手段により処理される。
【００４７】
図８（ｂ）は関連情報画面３１０の具体例である。請求項６の発明に規定するように、はじめに閲覧者が選択した商品は図７，８よりコーヒーカップ２４０であるため、その関連情報は、閲覧者が選択した商品（コーヒーカップ２４０）と同種の商品に食器が該当する。その中から、例えば、ティーカップ３１１が同種の商品を推薦する情報（同種商品推薦情報）として表示される。同商品はＸ店舗にて販売されており、商品説明表示３１４も付されている。さらに、閲覧者が選択した商品（コーヒーカップ）とは異種の商品も表示される。例では、コーヒー豆３１２が異種の商品を推薦する情報（異種商品推薦情報）として表示される。同商品はＣ店舗にて販売されており、商品説明表示３１５も付されている。この他の異種の商品として角砂糖３１３も表示される（異種商品推薦情報）。同商品はＤ店舗にて販売されており、商品説明表示３１６も付されている。以降、図示しないものの他の洋食器を販売するＢ店舗等々が順次表示される。
【００４８】
開示の実施例以外にも、当然ながら閲覧者が選択した商品に関する関連情報として同種商品推薦情報や異種商品推薦情報が適宜組み合わされ、個々の商品毎に関連する商品が互いに結びつけられている。商品同士の関連性や推薦情報の表示は閲覧数の多少により随時更新する設定の他、各店舗や当該システム運営者等により独自に推奨したい商品を設定することもできる。
【００４９】
各分野の関連情報が、閲覧者の選択商品に連動して表示されるため、閲覧者は次々と興味ある同種または異種の商品に遭遇する機会が増し、想像していないような新しい商品を発見する楽しみが生まれる。
【００５０】
これまでの説明から理解されるように、本発明の商品販売システムは、現実の店舗の画像を利用することによりコンピューターグラフィックス（ＣＧ）等の映像作成技術を駆使する手間を省くことができ、小資本の店舗経営者、販売者等であっても作成、維持、運営に要する経費負担を軽減可能とするシステムである。また、販売者側の現実の店舗をほぼ実際に即した形でインターネット上に再現できるため、店舗経営者等の商品に対するこだわりを極めて容易に演出することができ、顧客（閲覧者）に対する訴求効果を発揮しやすくなる。なお、必要に応じて、現実の店舗内を撮影、加工・編集した店舗内画像にイラストやコマ送りのアニメーション等を組み合わせることも可能である。
【００５１】
加えて、店舗内画像から選択された商品自体の情報に加え、商品に付随する関連情報までも閲覧できるようになるため、販売者側の商品に対する店舗経営者等の個々の商品に込めた思い入れも自在に主張でき、インターネットビジネスにおける販売者の差別化を図ることができる。
【産業上の利用可能性】
【００５２】
インターネット上に実在の店舗内部の画像を表示することによって、当該店舗内部に陳列されている商品の魅力を高めて販売する商品販売システムである。専ら静止画の送信となるため、データ量を減らしたサービス展開が可能となる。
【符号の説明】
【００５３】
１    商品販売システム
２    インターネット回線
３    パーソナルコンピューター（閲覧者端末）
１０    処理サーバー部
１１    サーバーコンピューター
２０Ａ，２０Ｂ，２０Ｃ    店舗
２０ｐ，２０ｑ    店舗内画像
３０    カメラ
１００    表示領域選択操作部
１０１    主領域部
１０２    視野表示部
１０５    ポインタ
１２０    表示領域移動操作部１２０
３００    商品情報画面
３０１    拡大表示部
３０６    購入指示部
３０７    外部アクセス表示部
３１０    関連情報画面
【図１】
2010211592.tif 000003
【図２】
2010211592.tif 000004
【図３】
2010211592.tif 000005
【図４】
2010211592.tif 000006
【図５】
2010211592.tif 000007
【図６】
2010211592.tif 000008
【図７】
2010211592.tif 000009
【図８】
2010211592.tif 000010